(57)【要約】［課題］  ビューティーローラーに半導体被覆酸化チタン粒を装着した半導体健康ビューティーローラーを提供する。［解決手段］本発明はビューティーローラーの皮膚接触面の間の稜線を外側に張り出させるか、ローラーの皮膚接触面を全部又は交互に内側に湾曲させて、刺激効果を高めた新型ビューティーローラーに半導体被覆酸化チタンを装着し、ビューティーローラーの脂肪燃焼効果（ローリングによりゼイ肉部が搾り出され、自然に痩せる）に半導体被覆酸化チタンの健康効果（体内電位の正常化、血行・自然治癒力を高め、こり・痛みの軽減、α波の増加）の二つの効果を複合した、新しい健康器具を提供する発明である。【選択図】    図３
2005013664.tif 000002
【特許請求の範囲】
【請求項１】
半導体被覆酸化チタンをビューティーローラーに装着することを特徴とする半導体健康ビューティーローラー
【請求項２】
ビューティーローラーは円筒型、角柱型を含む請求項１記載の半導体健康ビューティーローラー
【請求項３】
ビューティーローラーの皮膚接触面の間の稜線を外側に張り出させ、刺激効果を高める事を特徴とする請求項１・２記載の半導体健康ビューティーローラー
【請求項４】
ビューティーローラーの皮膚接触面の全部を内側に湾曲させるか、又は平面と湾曲面を交互に配置し、ローリングによる刺激効果を高める事を特徴とする請求項１・２記載の半導体健康ビューティーローラー
【発明の詳細な説明】
【０００１】
［発明の属する技術分野］
本発明は半導体健康ビューティーローラーに関する発明である。
【０００２】
［従来の技術］
従来ビューティーローラーとしては円筒状のローラーや角柱状のローラーが使用され、ローラーの表面にはトルマリンの微粉末などが塗布されており、皮膚面にローリングする事により効果的に押圧力が作用して、ぜい肉に共振波動が伝達される為余分の脂肪を搾り出して痩身ボデイが創出され、セルライト（ゼイ肉）の除去に大きな効果を上げている。本発明はこの素晴らしいローラーの効果に新しい健康効果を複合して、新しい健康器具を提供する。
【０００３】
［発明が解決しようとする課題］
ビューティーローラーが単なる美容目的の痩身具だけでなく、健康器具として同じローリング動作によって脂肪の搾り出しと同時に、体内電位を正常化すると共に血行を良くし、自然治癒力を向上させるなど多機能な健康器具とする。
【０００４】
［問題を解決する手段］
（１）半導体被覆酸化チタンをビューティーローラーに装着することを特徴とする半導体健康ビューティーローラー
（２）ビューティーローラーは円筒型、角柱型である前（１）項記載の半導体健康ビューティーローラー
（３）美容ビューティーローラーの皮膚接触面の間の稜線を外側に張り出させ、刺激効果を高めることを特徴とする前（１）（２）項記載の半導体健康ビューティーローラー
（４）ビューティーローラーの皮膚接触面の全部を内側に湾曲させるか、又は平面と湾曲面を交互に配置し、ローリングによる刺激効果を高めることを特徴とする請求項（１）・（２）記載の半導体健康ビューティーローラー
により問題を解決する。
【０００５】
［発明の実施の形態］
先ず５角柱型のビューティーローラーを例にとると、図１の如くローラーの面２に半導体被覆酸化チタンを装着する。半導体被覆酸化チタンは図２の構造をしており、（株）ウエルネスで生産されている。これは酸化チタン焼結体５の尖った部分に、Ｐ型半導体被覆膜６を蒸着させたものである。この製品は皮膚血流量を最大２０％増加し、筋肉組織のこりを柔らかくし、自律神経機能を活性化する。また痛みの改善では７８％（比較例では３９％）に達した。《東方医学１３巻Ｎｏ３Ｐ１７〜２５（１９９７）日本歯科東洋医学会誌１６巻第２号Ｐ１９０〜１９６（１９９７）》本発明ではこの様な半導体被覆酸化チタンの特性をビューティーローラーに生かした新しい半導体健康ビューティーローラーを提供する。またこの半導体被覆酸化チタンの表面に窒化チタンの薄膜を蒸着させると、金色となり耐摩耗性が向上する。本発明ではこの窒化チタンを蒸着した半導体被覆酸化チタンを使用してもよい。
【０００６】
図３の様にビューティーローラーの皮膚に接触する面２の間の稜線７を外側に張り出させるか（図３−Ｂ）、ローラーの皮膚接触面の全部をやや内側に湾曲させる。（図３−Ｃ）又は平面と湾曲面を交互に配置し（図３−Ｄ）、ローラーの刺激効果を高めると共に、ローラーの表面に半導体被覆酸化チタンを装着し、ビューティーローラーとして余分の脂肪を燃焼させる効果に半導体被覆酸化チタンの健康効果を付加させる。半導体としてはシリコン又はゲルマニウムのどちらでも良い。また半導体はＰ型が使われるのでＰ型シリコン被覆酸化チタンをビューティーローラーの表面に装着する。
【０００７】
Ｐ型シリコン被覆酸化チタンは−２００ｍＶの電位（光ベルコム社鈴木光則氏測定）を持っており、身体の疲れなどによる体内電位の異常を正すと共に痛みを解消する。更に血行を良くし自然治癒力を高める効果もある。また筋肉のコリをほぐし、β波を抑えα波を高めることも文献（日本歯科東洋医学会誌第１６巻第２号Ｐ１９０〜１９６（１９９７））に発表されている。これらの効果がビューティーローラーの効果に付加されるので、健康上大きな発明である。
【０００８】
図４は細い円筒状のビューティーローラーで主として顔など柔らかい皮膚に使用される。この時も半導体被覆酸化チタンを使えば健康効果が加わり、半導体健康ビューティーローラーとなる。
【０００９】
［作用］
本発明の半導体健康ビューティーローラーは血流量の増加、自律神経機能活性化、痛みの軽減、コリの解消などで実績のある半導体被覆酸化チタンをローラーに装着し、更にローラーの稜線外側に張り出すか、又はローラーの面をやや内側に湾曲させて、ローリングによる押圧力の刺激効果（ゼイ肉の搾り出し）の増加と半導体被覆酸化チタンの健康効果を連動し複合させている。これは同じローリングにより健康と美容という二つの効果を得られる健康美容器具を提供する。しかも半導体被覆酸化チタンは貼り着けたままより、ローラーの動きにより身体についたり離れたり刺激が反復するので効果はさらに上がる筈である。
【００１０】
図１、図３、図４に本発明の例および図２には半導体被覆酸化チタンの構造を示す。
半導体被覆酸化チタンの取り付け方法はローラーの表面に接着する方法と埋め込む方法がある。接着するとローラーの表面より出るので刺激が強すぎる場合は、半分程埋め込むと丁度良くなるがこれは好みによる。
【００１１】
［実施例］
本発明の半導体健康ビューティーローラーを無作為に使用して貰い、報告をまとめた。
１、便秘の改善        ７人中    ６人改善
２、腰痛の改善        ５人中    ３人改善
３、前立腺肥大        ３人中    ２人改善
４、夜寝られない      ６人中    ４人改善
５、不定愁訴          ３人中    １人改善
この他体調がよくなった、冷え性が直ったなどの報告があった。
【００１２】
［発明の効果］
本発明はローラーの皮膚接触面を内側に湾曲させ、又は面の間の稜線を外側に張り出ださせ、刺激効果を高めた新型ビューティーローラーの効果（ローリング・マッサージによりゼイ肉を搾り出すと共に、胃腸の働きを良くし無理なく痩せる。）に半導体被覆酸化チタンの健康効果（体内電位の正常化、血行・自然治癒力を高め、こり・痛みの軽減、α波の増加）が加わり、ローリング・マッサージという同じ動作により脂肪の燃焼と共に健康上の大きい効果が期待できる実用的な発明である。
【図面の簡単な説明】
【図１】本発明の１実施例である。
Ａ  その実施例の正面説明図である。
Ｂ  その実施例の横面説明図である。
【図２】半導体被覆酸化チタンの構造説明図である。
【図３】本発明の１実施例である。
Ｃ  その実施例の正面説明図である。
Ｄ  その実施例の横面説明図である。
Ｅ  その実施例のローラー面を平面と湾曲面を交互に配置した横面説明図である。
【図４】本発明の１実施例である。
Ｆ  その実施例の正面説明図である。
Ｇ  その実施例のローラー断面説明図である。
【符号】
１  半導体健康ビューティーローラーの持ち手
２  ローラーの面（平面）
３  ローラーの近接する二つの平面の間の稜線
４  半導体被覆酸化チタン（ローラー面に接着又は埋め込む）
５  酸化チタン焼結体
６  Ｐ型半導体被覆膜
７  外に張り出した稜線
８  内側に湾曲させたローラーの皮膚接触面
９  湾曲した面と平面が交互に配置されたローラーの稜線
１０  円筒状の半導体健康ビューティーローラー
１１  ローリング・スペーサー
【図１】
2005013664.tif 000003
【図２】
2005013664.tif 000004
【図３】
2005013664.tif 000005
【図４】
2005013664.tif 000006